(57)【特許請求の範囲】
【請求項１】
育成室と、該育成室内の環境因子を決めるように作動する駆動手段と、前記環境因子を検出する検出手段と、前記検出手段からの検出信号に基づいて、前記育成室内が所望の環境となるように前記駆動手段を制御する制御手段とを備えた研究用植物育成装置において、
当該装置において発生する異常を監視する異常監視手段と、
前記異常監視手段による監視結果に基づいて、当該装置において発生した異常の種類と当該異常の発生時刻とを示す異常発生データと、正常状態に復帰した異常の種類と当該異常の復帰時刻とを示す異常復帰データとを、記憶する異常データ記憶手段を備え、
前記異常データ記憶手段は、前記環境因子のサンプリングデータ自体を記憶しないとともに、前記制御手段による制御状況のサンプリングデータ自体を記憶しないことを特徴とする研究用植物育成装置。
【請求項２】
前記異常が前記環境因子自体の異常を含むことを特徴とする請求項１記載の研究用植物育成装置。
【請求項３】
前記異常が当該装置自体の異常を含むことを特徴とする請求項１又は２記載の研究用植物育成装置。
【発明の詳細な説明】
【０００１】
【発明の属する技術分野】
本発明は、植物の育種又は栽培など、農学の研究、実験に使用する研究用植物育成装置に関するものである。
【０００２】
【従来の技術】
研究用植物育成装置は、植物の環境因子である温度及び湿度など（必要に応じて、照明光、ＣＯ2濃度なども）を人為的に厳密に制御した環境下で植物を育成するために使用する装置である。そして、研究用植物育成装置は、一般的に、育成室と、該育成室内の環境因子を決めるように作動する冷凍機、電気ヒータ、加湿器、送風機、ランプ等の照明装置、ＣＯ2供給装置などの駆動装置と、温度センサ、湿度センサ、ＣＯ2センサなどの環境因子検出用の検出器と、これらの検出器からの検出信号に基づいて、前記育成室内が所望の環境となるように前記駆動装置を制御する制御器とを備えている。
【０００３】
【発明が解決しようとする課題】
このような研究用植物育成装置を用いて植物を育成し所望の農学の研究を行うためには、長期間（例えば、数ヶ月から数年）に渡って前記環境因子を厳密に制御し続けなければならない。しかし、前記駆動装置、検出器及び制御器に異常が発生する可能性をゼロにすることは不可能である。
【０００４】
しかしながら、従来の研究用植物育成装置では、このような異常に関して考慮されていなかった。このため、従来の研究用植物育成装置では、前記異常が植物の育成途中で発生すると、所望の条件下で植物を育成することができなくなり、当該研究の目的を達成することができず、長期間に渡り費やした労力及び費用等が全く無駄になってしまったり、再び得ることができないような稀少な植物が枯死してしまったりする。
【０００５】
そこで、研究用植物育成装置において、環境因子検出用の検出器からの検出信号に基づいて前記環境因子の異常を監視する監視装置と、該監視装置による監視結果として何らかの異常の発生が感知された場合に警報を発生する警報器と、を設けることが考えられる。この場合には、警報により研究者等が異常を知ることができ、早急にメーカーにメンテナンスを要請するなどにより当該異常に対処することができる。
【０００６】
しかしながら、植物の育成は昼夜を問わず長期間に渡るものであるため、前記従来の研究用植物育成装置では、警報が発せられたとしても、研究者等が当該警報を看過するおそれがある。すなわち、異常状態が継続していれば前記警報が発せられ続けるものの、一旦異常が発生して警報が発せられた後に異常状態から正常状態に復帰してしまう場合には、前記警報が停止してしまうので、当該警報を看過するおそれがある。このように、前記警報を看過してしまうことによって異常が発生したことを看過してしまうと、研究者等が所望の環境条件に厳密に制御して植物を育成したものと思っていても、実際には所望の環境条件とは異なる環境下で植物が育成されていることになる。したがって、このような研究用植物育成装置により育成された植物から得られる研究データの信頼性は必ずしも高くない。
【０００７】
そこで、育成室内の温度や湿度などの環境因子を監視し、当該環境因子を経過時間に従って逐次サンプリングし、当該サンプリングデータを記憶手段に記憶させておくことが考えられる。この場合、記憶手段により記憶されたサンプリングデータを定期的に確認するようにすれば、たとえ一旦異常が発生した後に異常状態から正常状態に復帰してしまっても、異常の発生を看過するおそれがなくなる。また、植物の育成後に、前記記憶手段により記憶された環境因子のサンプリングデータに基づいて、育成期間の全体に渡って植物が所望の環境下で育成されたことを確認することができ、これにより、育成された植物から得られる研究データの信頼性を高めることができる。
【０００８】
しかしながら、逐次得られる環境因子のサンプリングデータを記憶手段に記憶させていくと、植物の育成期間は非常に長いことから、環境因子のサンプリングデータが膨大なものとなるので、前記記憶手段として極めて大きい容量を有するものを用いざるを得ず、コストアップを免れない。また、環境因子自体の異常を知ることができるものの、当該環境因子の異常が装置のいかなる部分の異常により引き起こされたかを知ることはできず、装置のメンテナンスに手間取ることとなる。特に、一旦異常が発生した後に異常状態から正常状態に復帰してしまった場合、環境因子自体に異常が発生したことを知ることができるものの、当該環境因子の異常が装置のいかなる部分の異常により引き起こされたか知ることはできず、装置のメンテナンスが非常に困難である。
【０００９】
また、前述したように、環境因子の異常を監視する監視装置と、該監視装置による監視結果として何らかの異常の発生が感知された場合に警報を発生する警報器とを設けるだけでは、当該警報を看過せずに異常の発生を知った場合であっても、装置のいずれの箇所に異常が生じたか知ることはできず、装置のメンテナンスに手間取ることとなる。
【００１０】
本発明は、このような事情に鑑みてなされたもので、育成された植物から得られる研究データの信頼性を高めることができ、しかも、記憶容量が少なくてすみ安価な研究用植物育成装置を提供することを目的とする。
【００１１】
また、本発明は、メンテナンスが容易で、しかも、記憶容量が少なくてすみ安価な研究用植物育成装置を提供すること目的とする。
【００１２】
【課題を解決するための手段】
前記課題を解決するため、本発明の第１の態様による研究用植物育成装置は、育成室と、該育成室内の環境因子を決めるように作動する駆動手段と、前記環境因子を検出する検出手段と、前記検出手段からの検出信号に基づいて、前記育成室内が所望の環境となるように前記駆動手段を制御する制御手段とを備えた研究用植物育成装置において、当該装置において発生する異常を監視する異常監視手段と、前記異常監視手段による監視結果に基づいて、当該装置において発生した異常の種類と当該異常の発生時刻とを示す異常発生データと、正常状態に復帰した異常の種類と当該異常の復帰時刻とを示す異常復帰データとを、記憶する異常データ記憶手段を備えたものである。
【００１３】
本発明の第２の態様による研究用植物育成装置は、前記第１の態様による研究用植物育成装置において、前記異常が前記環境因子自体の異常を含むものである。なお、前記環境因子としては、温度、湿度、照明光、ＣＯ2濃度などを挙げることができるが、前記第２の態様における前記環境因子の異常としては、そのうちの少なくとも１つの異常であればよい。
【００１４】
本発明の第３の態様による研究用植物育成装置は、前記第１又は第２の態様による研究用植物育成装置において、前記異常が当該装置自体の異常を含むものである。なお、前記装置自体の異常としては、前記駆動手段の異常、前記検出手段の異常、前記制御手段の異常を挙げることができるが、前記第３の態様における装置自体の異常としては、そのうちの少なくとも１つであればよい。
【００１５】
なお、本発明では、前記第１乃至第３の態様において、前記異常監視手段による監視結果に基づいて、当該装置において異常が発生した場合警報を発する警報手段を更に備えていてもよい。
【００１６】
本発明によれば、当該装置において発生する異常を監視する異常監視手段による監視結果に基づいて、当該装置において発生した異常の種類と当該異常の発生時刻とを示す異常発生データと、正常状態に復帰した異常の種類と当該異常の復帰時刻とを示す異常復帰データとが、異常データ記憶手段に記憶される。したがって、異常発生データ及び異常復帰データから、現在発生している異常の種類と当該異常が継続している時間間隔、過去に発生した異常の種類と当該異常が継続していた時間間隔などを知ることができる。このため、異常データ記憶手段に記憶された異常発生データ及び異常復帰データを定期的に確認するようにすれば、たとえ一旦異常が発生した後に異常状態から正常状態に復帰してしまっても、異常の発生を看過するおそれがなくなり、研究者等はメーカーにメンテナンスを要請するなどにより当該異常に対処することができる。また、前記第２の態様のように前記異常が環境因子自体の異常を含む場合には、異常データ記憶手段に記憶された異常発生データ及び異常復帰データに基づいて、育成期間の全体に渡って植物が所望の環境下で育成されたことを確認することができ、これにより、育成された植物から得られる研究データの信頼性を高めることができる。さらに、前記第３の態様のように前記異常が当該装置自体の異常を含む場合には、メーカー等は異常データ記憶手段に記憶された異常発生データ及び異常復帰データに基づいて、異常の種類等を知ることができるので、メンテナンスが容易になる。さらにまた、本発明によれば、サンプリングデータ自体を異常データとして記憶手段に記憶させるのではなく、前記異常発生データ及び異常復帰データを異常データとして異常データ記憶手段に記憶させるので、記憶すべきデータ量が著しく少なくなり、安価となる。
【００１７】
【発明の実施の形態】
以下、本発明の一実施の形態による研究用植物育成装置について、図１及び図２を参照して説明する。図１は、本実施の形態による研究用植物育成装置を示す概略縦断面図である。図２は、本実施の形態による研究用植物育成装置を示すブロック図である。
【００１８】
本実施の形態による研究用植物育成装置は、図１に示すように、植物Ｓが収容される育成室１及び該育成室１の上部に形成されたランプ室２を備えている。育成室１は、本体３内において底板４及び側壁５によって仕切られるとともに、天井部分に装着された透明なガラス板６によってランプ室２とは遮断された構造を有している。育成室１を形成する少なくとも対向する２つの側壁５のうちの一方には多数の孔からなる空気吹出部７が構成され、他方には多数の孔からなる空気吸込部８が構成されている。本体３内における育成室１の外側において、空気吹出部７と空気吸込部８との間を接続する空気通路９が形成されている。この空気通路９おける育成室１下部の部分が機械室１０を構成している。
【００１９】
前記機械室１０には、冷凍機１１を構成する冷却コイル１１ａ、ヒーター装置１２、送風機１３、ＣＯ2供給装置１４の供給口１４ａ及び加湿器１５の加湿ノズル１５ａが配置されている。ＣＯ2供給装置１４は、図面には示していないが、ＣＯ2ガスボンベ及び該ガスボンベと供給口１４ａとを接続する管路の途中に設けられた電磁弁からなる本体１４ｂを有しており、該本体１４ｂは、前記本体３の外部に配置されている。また、冷凍機１１の本体１１ｂ及び加湿器１５の本体１５ｂも、前記本体３の外部に配置されている。なお、冷凍機１１を構成する冷却コイル１１ａ、ヒーター装置１２、送風機１３、ＣＯ2供給装置１４の供給口１４ａ及び加湿器１５の加湿ノズル１５ａを、前記本体３の外部に配置することも可能である。
【００２０】
前記ランプ室２内には、ガラス板６を介して育成室１内を照明する人工光源となる照明装置１６を構成する複数のランプ１６ａが配置されている。また、図１において、２０ａはランプ室２用の冷凍機２０の冷却コイル、１９は該冷却コイル２０ａを介してランプ室２内の空気を循環させるランプ室２用の送風機であり、これらにより、ランプ室２内の温度上昇を抑えることができるようになっている。なお、冷凍機２０及び送風機１９を取り除き、ランプ室２の側壁に外気を導入するための外気導入口を設けるとともにランプ室２の天井にランプ室２内の空気を外部に排気する排気口を設け、外気を前記外気導入口から送風機にて強制的にランプ室２内に導入し当該空気をランプ室２を流通させて前記排気口から外部に排気するようにしてもよく、この場合にもランプ室２内の温度上昇を抑えることができる。また、本発明では、照明装置１６に代えて、太陽光を利用するように構成してもよい。
【００２１】
本実施の形態では、冷凍機１１、ヒーター装置１２、送風機１３、ＣＯ2供給装置１４及び加湿器１５によって、空気通路９内を流通する空気の温度、ＣＯ2濃度及び湿度が決定され、この空気が空気吹出部７から育成室１内に吹き出され、育成室１を流通した後、空気吸込部８から空気通路９に排気されることになる。一方、照明装置１６により照明光が育成室１内に照射される。なお、送風機１９によりランプ室２内において循環された空気が冷凍機２０により冷却される。これにより、ランプ１６の発熱が育成室１内の温度に対して影響を与えなくなる。以上の説明からわかるように、本実施の形態では、冷凍機１１、ヒーター装置１２、送風機１３、ＣＯ2供給装置１４、加湿器１５及び照明装置１６が、育成室１内の環境因子を決めるように作動する駆動手段を構成している。もっとも、本発明では、必ずしも、ＣＯ2供給装置１４等を設ける必要はないし、太陽光を利用すれば照明装置１６も設ける必要はない。
【００２２】
図面には示していないが、本実施の形態では、冷凍機１１は、冷媒圧力の異常を示す信号、過熱状態にあることを示す信号及び過負荷状態にあることを示す信号を、それぞれ異常検出信号として出力するように構成されている。ヒーター装置１２は、図示しない温度センサを有しており、過熱状態にあることを示す信号を異常検出信号として出力するように構成されている。送風機１３、加湿器１５及びランプ室２用の送風機１９はそれぞれ、過負荷状態にあることを示す信号を異常検出信号として出力するように構成されている。ランプ室２用の冷凍機２０は、前記冷凍機１１と同様に、冷媒圧力の異常を示す信号、過熱状態にあることを示す信号及び過負荷状態にあることを示す信号を、それぞれ異常検出信号として出力するように構成されている。
【００２３】
また、本実施の形態では、前記空気通路９における空気吸込口８の付近には、育成室１内の環境因子としての温度、湿度及びＣＯ2濃度を間接的に検出するための温度センサ２１、湿度センサ２２、ＣＯ2濃度センサ２３が配置されている。ランプ室２内には、ランプ室２内の温度を検出するための温度センサ２４が配置されている。
【００２４】
そして、本実施の形態による研究用植物育成装置は、図２に示すように、調節計２５と、操作者の操作により調節計２５に各種の指令等を与える操作器２６と、調節計２５による制御下で所定の表示を行う表示器２７とを備えている。なお、操作器２６及び表示器２７は、いわゆるタッチパネルで兼用することができる。
【００２５】
前記調節計２５は、温度センサ２１、湿度センサ２２、ＣＯ2濃度センサ２３及びランプ室２用の温度センサ２４からの検出信号に基づいて、育成室１内が所望の環境となるように、冷凍機１１、ヒーター装置１２、送風機１３、ＣＯ2供給装置１４、加湿器１５、照明装置１６、ランプ室２用の送風機１９、ランプ室２用の冷凍機２０を制御する制御部２８としての機能と、本装置において発生する異常を監視する異常監視部２９としての機能を担うように構成されている。すなわち、調節計２５は、機能的に、制御部２８及び異常監視部２９を有している。具体的には、調節計２５は、図示しないＣＰＵや入出力回路等、更にはメモリ３０を用いて構成することができる。
【００２６】
本実施の形態では、制御部２８は、使用者が操作器２６を操作して所望の環境条件を示す運転パターン（時間経過に応じた各環境因子の目標値に相当）を設定すると、当該運転パターンがメモリ３０に記憶され、当該運転パターンに合致する環境が実現されるように、各センサ２１〜２４からの検出信号に基づいて、前記各要素１１〜１６，１９，２０を制御する。
【００２７】
また、本実施の形態では、異常監視部２９は、育成室１内の環境因子自体の異常を監視する機能と、本装置自体の異常を監視する機能とを有している。本発明では、異常監視部２９はいずれか一方の機能のみを有していればよいが、本実施の形態のように両方の機能を有していることが好ましい。
【００２８】
本実施の形態では、育成室１内の環境因子自体の異常の監視は、異常監視部２９が、前記各センサ２１〜２４からの検出信号に基づいて、各環境因子が所定の上限値を上回っている場合に各環境因子が上限異常であると判定するとともに、各環境因子が各所定の下限値を下回っている場合に各環境因子が下限異常であると判定することによって、行われる。代わりに、この監視は、例えば、各環境因子が前記運転パターンによる目標値に対して所定量大きい上限許容値を上回っている場合に各環境因子が上限異常であると判定するとともに、各環境因子が前記運転パターンによる目標値に対して所定量小さい下限許容値を下回っている場合に各環境因子が下限異常であると判定することによって、行ってもよい。
【００２９】
また、本実施の形態では、本装置自体の異常の監視は、異常監視部２９が、冷凍機１１、ヒーター装置１２、送風機１３、加湿器１５、ランプ室２用の送風機１９及びランプ室２用の冷凍機２０からの前述した各異常信号を監視することによって行われる他、前記各センサ２１〜２４からの検出信号が本来得られるはずの所定範囲の電圧値（例えば、１Ｖ〜５Ｖ）から外れている場合に各センサ２１〜２４が異常であると判定することによって行われるとともに、制御出力指令値と実際の制御信号との照合をとるなどによって行われる。
【００３０】
なお、本実施の形態では、前述した各異常の種類（異常項目）に対してそれぞれ異常項目Ｎｏ．が割り当てられている。
【００３１】
メモリ３０の所定領域には、前記異常監視部２９による監視結果に基づいて、本装置において発生した異常の種類と当該異常の発生時刻とを示す異常発生データと、正常状態に復帰した異常の種類と当該異常の復帰時刻とを示す異常復帰データとが、記憶される。
【００３２】
異常発生データ及び異常復帰データの記憶形式の一例を図３（ａ）に示す。本例では、異常発生データも異常復帰データも同一の記憶形式を有しており、個々のデータを記憶する領域は、異常の発生又は復帰の時刻を示す「月」、「日」、「時」及び「分」をそれぞれ記憶するフィールド３０〜３３と、異常の種類に相当する異常項目Ｎｏ．を記憶するフィールド３４と、当該データが異常発生データであるか異常復帰データであるかを示すフィールド３５（「１」が異常発生データを示し、「０」が異常復帰データを示す）とを有している。
【００３３】
このような記憶形式に従った異常発生データ及び異常復帰データの一例を図３（ｂ）に示す。本例では、１件目（１行目）のデータは２月４日１４時３分に異常項目Ｎｏ．５で示される異常が発生したことを示す異常発生データであり、２件目のデータは２月４日１４時１１分に異常項目Ｎｏ．５で示される異常が正常状態に復帰したことを示す異常復帰データであり、３件目のデータは６月２１日１時５８分に異常項目Ｎｏ．２で示される異常が発生したことを示す異常発生データである。なお、本例では、各データは時刻の古い順に並べられている。
【００３４】
ここで、前記異常監視部２９の動作の一例について、図４を参照して説明する。図４は、異常監視部２９の動作の一例を示すフローチャートである。
【００３５】
異常監視部２９は、動作を開始すると、まず、第１の異常項目をセットする（ステップＳ１）。次に、異常監視部２９は、現在セットされている異常項目について、異常であるか否かを判定する（ステップＳ２）。
【００３６】
ステップＳ２で当該異常項目について異常であると判定されると、異常監視部２９は、当該異常項目について、対応する異常復帰データがメモリ３０内に存在しない異常発生データがあるか否かを判定する（ステップＳ３）。すなわち、前回の状態が当該異常項目について異常であったか正常であったかを判定する。なお、メモリ３０内に既に図３（ｂ）に示す３件のデータが記憶されているとすると、１件目の異常発生データに対応する異常復帰データ（２件目の異常復帰データ）が存在するが、３件目の異常発生データに対応する異常復帰データは存在しない。
【００３７】
ステップＳ３で当該異常項目について、対応する異常復帰データがメモリ３０内に存在しない異常発生データがない（すなわち、前回は正常であった）と判定されると、異常監視部２９は、当該異常項目について異常発生データをメモリ３０に書き込み（ステップＳ４）、ステップＳ５へ移行する。一方、ステップＳ３で当該異常項目について、対応する異常復帰データがメモリ３０内に存在しない異常発生データがある（すなわち、前回も異常であった）と判定されると、異常監視部２９は、メモリ３０に対する書き込み処理を行うことなく、直接ステップＳ５へ移行する。
【００３８】
一方、ステップＳ２で当該異常項目について正常であると判定されると、異常監視部２９は、前記ステップＳ３と同様に、当該異常項目について、対応する異常復帰データがメモリ３０内に存在しない異常発生データがあるか否かを判定する（ステップＳ７）。
【００３９】
ステップＳ７で当該異常項目について、対応する異常復帰データがメモリ３０内に存在しない異常発生データがある（すなわち、前回は異常であった）と判定されると、異常監視部２９は、当該異常項目について異常復帰データをメモリ３０に書き込み（ステップＳ８）、ステップＳ５へ移行する。一方、ステップＳ７で当該異常項目について、対応する異常復帰データがメモリ３０内に存在しない異常発生データがない（すなわち、前回も正常であった）と判定されると、異常監視部２９は、メモリ３０に対する書き込み処理を行うことなく、直接ステップＳ５へ移行する。
【００４０】
ステップＳ５において、異常監視部２９は、次の異常項目があるか否か（すなわち、全ての異常項目に関する処理が終了したか否か）を判定する。次の異常項目があれば、異常監視部２９は、次の異常項目をセットし（ステップＳ６）、ステップＳ２に戻る。一方、ステップＳ５で次の異常項目がないと判定されると、ステップＳ１に戻る。
【００４１】
このようにして、メモリ３０内には、例えば図３（ｂ）に示すような異常発生データ及び異常復帰データが書き込まれる。
【００４２】
なお、本実施の形態では、メモリ３０内に書き込まれた異常発生データ及び異常復帰データに応じた表示が、操作器２６による操作に応答して表示器２７に表示されるようになっている。なお、異常発生データ及び異常復帰データは、遠隔地のメンテナンス業者等に通信回線を介して伝送してもよい。また、警報器を設け、異常が感知された際に当該警報器を作動させてもよい。この場合、例えば、異常監視部２９が図４中のステップＳ２とステップＳ３との間に警報器を作動させる処理を行うようにすればよい。
【００４３】
なお、本装置の運転中に得られる異常発生データ及び異常復帰データを全てメモリ３０に保持していってもよいし、当該データが所定件数（例えば、１００件）を越える場合には古いデータは消去して最新の所定件数のデータのみを残すようにしてもよい。
【００４４】
本実施の形態によれば、本装置において発生する異常を監視する異常監視部２９による監視結果に基づいて、本装置において発生した異常の種類と当該異常の発生時刻とを示す異常発生データと、正常状態に復帰した異常の種類と当該異常の復帰時刻とを示す異常復帰データとが、メモリ３０に記憶される。したがって、異常発生データ及び異常復帰データから、現在発生している異常の種類と当該異常が継続している時間間隔、過去に発生した異常の種類と当該異常が継続していた時間間隔などを知ることができる。このため、メモリ３０に記憶された異常発生データ及び異常復帰データを定期的に確認するようにすれば、たとえ一旦異常が発生した後に異常状態から正常状態に復帰してしまっても、異常の発生を看過するおそれがなくなり、研究者等はメーカーにメンテナンスを要請するなどにより当該異常に対処することができる。また、本実施の形態では、対象となる異常として環境因子自体の異常を含んでいるので、メモリ３０に記憶された異常発生データ及び異常復帰データに基づいて、育成期間の全体に渡って植物が所望の環境下で育成されたことを確認することができ、これにより、育成された植物から得られる研究データの信頼性を高めることができる。さらに、本実施の形態では、対象となる異常が本装置自体の異常を含んでいるので、メーカー等はメモリ３０に記憶された異常発生データ及び異常復帰データに基づいて、異常の種類等を知ることができるので、メンテナンスが容易になる。さらにまた、本実施の形態によれば、サンプリングデータ自体を異常データとしてメモリ３０に記憶させるのではなく、前記異常発生データ及び異常復帰データを異常データとしてメモリ３０に記憶させるので、記憶すべきデータ量が著しく少なくなり、安価となる。
【００４５】
以上、本発明の一実施の形態による研究用植物育成装置について説明したが、本発明はこの実施の形態に限定されるものではない。
【００４６】
【発明の効果】
以上説明したように、本発明によれば、育成された植物から得られる研究データの信頼性を高めることができ、しかも、記憶容量が少なくてすみ安価な研究用植物育成装置を提供することができる。
【００４７】
また、本発明によれば、メンテナンスが容易で、しかも、記憶容量が少なくてすみ安価な研究用植物育成装置を提供することができる。
【図面の簡単な説明】
【図１】本発明の一実施の形態による研究用植物育成装置を示す概略縦断面図である。
【図２】前記実施の形態による研究用植物育成装置を示すブロック図である。
【図３】異常発生データ及び異常復帰データの記憶形式の一例、及び、当該記憶形式に従った異常発生データ及び異常復帰データの一例を示す図である。
【図４】異常監視部の動作の一例を示すフローチャートである。
【符号の説明】
１  育成室
２  ランプ室
１１  冷凍機
１２  ヒーター装置
１３  送風機
１４  ＣＯ2供給装置
１５  加湿器
１６  照明装置
１９  ランプ室用送風機
２０  ランプ室用冷凍機
２１  温度センサ
２２  湿度センサ
２３  ＣＯ2濃度センサ
２４  ランプ室用温度センサ
２５  調節計
２６  操作器
２７  表示器
２８  制御部
２９  異常監視部
３０  メモリ
【図１】
0003798089.tif 000002
【図２】
0003798089.tif 000003
【図３】
0003798089.tif 000004
【図４】
0003798089.tif 000005